(57)【要約】  原材料の熱音響特性および振動特性を向上させる天然木材の木板または複合木材の木板であって、様々な方法で内部または外部の仕上げ（ドア、窓、パネル、境界壁、支持物など）のための構造部品として用いられる木板。上記木板は、互いに平行であるおよび／または斜めである面に属する、長手方向に沿った、連続および／または不連続の、２つ以上の切り込みによって作られている。単一の切り込みは、棒状の木板の色々な表面から見て平行であるおよび／または斜めである面に位置する。作り出された割れ目に、適切な遮音、防音または音遮断材料が挿入され、この材料が最終的な防音性ないし断熱性をさらに改善する。【選択図】図５
2012502209.tif 000002
【特許請求の範囲】
【請求項１】
天然木材の木板または複合木材の木板（チップボード、ＭＤＦ、合板、配向性ストランドボード、接着積層材など）において、互いに平行であるおよび／または斜めである面に属し、長手方向に沿った、連続および／または不連続の、２つ以上の切り込みを有し、前記切り込みに適切な材料が挿入されていることを特徴とする、木板。
【請求項２】
単一の前記切り込みは、棒状の前記木板における色々な表面に関して平行であるおよび／または斜めである面に位置する、請求項１に記載の木板。
【請求項３】
表面の切削部は、前記木板の全体と同じ長さを有し、または、異なる長さ、幅および高さを有し、同一面および／または互いに平行である複数の面および／または互いに斜めである複数の面に属する、複数の割れ目により形成される、請求項１に記載の木板。
【請求項４】
棒状の前記木板の割れ目の高さは、棒状の前記木板の同一面および／または互いに異なる面に作られた切削部の高さと同じまたは同じでない高さを有する、請求項１に記載の木板。
【請求項５】
棒状の前記木板の割れ目の幅は、棒状の前記木板の同一面および／または互いに異なる面に作られた切削部の幅と同じまたは同じでない深さを有する、請求項１に記載の木板。
【請求項６】
適切な遮音、防音または音遮断材料（金属、布、プラスチック、ゴム、ミネラルウール、合成繊維など）が割れ目に挿入され、前記挿入によって最終的な断熱防音性をさらに改善する、請求項１に記載の木板。
【請求項７】
林業において存在する一般的な機械や工具を用いて、フレームおよび他の製品を得るために有効である、請求項１に記載の木板。
【請求項８】
単純に基礎的な半仕上げ製品と、加工され完成された要素との両方として販売可能である、請求項１に記載の木板。
【請求項９】
単一の構造材と、連続の木材パネルを形成するために、様々な要素に合致するように実施されるモジュール構造材との両方として使用される、請求項１に記載の木板。
【発明の詳細な説明】
【技術分野】
【０００１】
本発明は、原材料の熱音響特性および振動特性を向上させる天然木材の木板または複合木材の木板（チップボード、ＭＤＦ、合板、配向性ストランドボード、接着積層材など）に関し、該木板は様々な方法で内部または外部の仕上げのための構造要素として用いられる。
【背景技術】
【０００２】
これまで知られている木板は、元のままで様々な構造要素において使用され、そのため騒音公害の遮断特性が悪いというデメリットがある。
【０００３】
世論によれば、騒音公害は特に感じられている問題であり、また人の生活の質を評価する上で重要なパラメータである。騒音公害は、「休息および人間活動に苛立たしさもしくは擾乱を引き起こし、人の健康に悪影響を及ぼし、生態系の悪化、有形財産やモニュメントの劣化、生活環境または外部環境の悪化をもたらすような、または、それらの環境の合法的使用を妨げるような、生活環境または外部環境における騒音の導入」を意味する。
【発明の概要】
【発明が解決しようとする課題】
【０００４】
木材の、それにおける入射音の伝導を減少する能力を示す防音力を高めるために、その主な構成材、すなわち、木材を直接的に操作する。音波は、硬い材料や強固に結合された表面においてより伝導されやすい。
【課題を解決するための手段】
【０００５】
本発明は、棒状の木板の長手方向に沿って２つ（図１）またはそれを超える（図２）切削部を設けることによって、木板の剛性特性を改変する。該切削部は、木繊維の結合を断ち切り、不連続部分を作り出し、それによって構成材の剛性を低減する。
【０００６】
作り出された割れ目に、適切な遮音、防音または音遮断（図１０符号Ａ）材料（金属、布、プラスチック、ゴム、ミネラルウール、合成繊維など）が挿入され、この材料が最終的な防音性をさらに改善する。
【０００７】
実際には、木材とは異なる物理的性質（密度、弾性、熱容量など）を有するこれらの材料の使用は、他の周波数の伝導音波の伝播を制限する。
【０００８】
さらに、割れ目の充填は、上述した切削部によって失われた構造強度の小部分を再獲得し、また全体の耐熱性を改善する。
【０００９】
熱伝導率は、定常状態条件下および単位時間において、温度勾配によって、単位面積の表面に垂直な方向に移動された熱の量である。
【００１０】
割れ目に挿入された材料はしばしば木材より低い熱伝導率を有し、それによって棒状の木板全体の断熱性をわずかに向上させる。
【００１１】
入射される音波の接線方向成分が、ある時点で、構成材の曲げ共振と重なるように到達し、それによって、これの出力面において、通過できる音波のみならず、構造要素の共振振動によって引き起こされた音波も存在する。
【００１２】
しかし実際には、改良された木板は構造の共振周波数を改変し、出力振動を増幅しない。
【図面の簡単な説明】
【００１３】
【図１】２つ以上の切り込みを有する木板の断面図である。
【図２】２つ以上の切り込みを有する木板の断面図である。
【図３】２つ以上の切り込みを有する木板の断面図である。
【図４】２つ以上の切り込みを有する木板の断面図である。
【図５】連続かつ平行な切削部を有する棒状の木板を示す図である。
【図６】同一面に属する不連続の切り込みを有する棒状の木板を示す図である。
【図７】平行である面に属する不連続の切り込みを有する木板を示す図である。
【図８】斜めである面に属する不連続の切り込みを有する木板を示す図である。
【図９】組み立てられたモジュール要素の例を示す図である。
【図１０】フレームの例を示す図である。
【発明を実施するための形態】
【００１４】
用語の参照：
・切削部の長さ：棒状の木板の長手方向；
・切削部の幅：棒状の木板の表面に垂直な横断方向；
・切削部の深さ：棒状の木板の表面に平行な横断方向。
【００１５】
木板は、互いに平行である（図１および３）および／または斜めである（図４）面に属する、長手方向に沿った、連続および／または不連続の、２つ（図１）またはそれを超える（図２）切り込みによって作られている。
【００１６】
単一の切り込みは、棒状の木板の色々な表面から見て平行である（図１および２）および／または斜めである（図３および４）面に位置する。
【００１７】
表面の切削部は木板の全体と同じ長さを有し（図５）、または、異なる長さ、幅および高さを有し、同一面（図６）、および／または互いに平行である複数の面（図７）、および／または互いに斜めになっている複数の面（図８）に属する複数の割れ目により形成される。
【００１８】
棒状の木板の割れ目の高さは、この棒の同一面および／または互いに異なる面に作られた切削部の高さと同じまたは同じでない高さを有する。
【００１９】
棒状の木板の割れ目の幅は、棒状の木板の同一面および／または互いに異なる面で作られた切削部の幅と同じまたは同じでない深さを有する。
【００２０】
切削部は木板の構造強度に影響するが、構造負荷に耐えること以外、依然として内部または外部の仕上げのための構造要素に適している。
【００２１】
事実上、経験的テストによれば、木板は適用された負荷に対して良好な耐性を示し、例えば目的に応じて、境界壁の組み立ておよび支持の実行などの用途に適している。
【００２２】
本発明の利用分野は建設領域であり、本知見はその基本的な半仕上げの部類に属する。そして、本発明は、完成した要素（図１０）と、他の要素を支持するための構造材との両方として用いられる。
【００２３】
本発明の木板は、林業において存在する一般的な機械や工具を用いて、フレーム（図９）および他の製品を得るには有効である。
【００２４】
棒状の木板は、単独で用いられる（図５）か、または、連続の木材パネルを形成するために様々な要素に合致するようなモジュール式で組み立てられる（図９）。
【００２５】
本発明は、断熱防音防振を改善するために、内部または外部仕上げの構造部品として様々な方法で用いられる。例えば、本発明の木板は、ドア、オーバーヘッドドア、窓、天窓、シャッター、パネル、境界壁、支持物などの製造のための構成材として用いられる。ただし、これらは可能な応用の一部であり、全ての用途を包含するものではない。
【図１】
2012502209.tif 000003
【図２】
2012502209.tif 000004
【図３】
2012502209.tif 000005
【図４】
2012502209.tif 000006
【図５】
2012502209.tif 000007
【図６】
2012502209.tif 000008
【図７】
2012502209.tif 000009
【図８】
2012502209.tif 000010
【図９】
2012502209.tif 000011
【図１０】
2012502209.tif 000012
【国際調査報告】
2012502209.tif 000013
2012502209.tif 000014